(57)【要約】【課題】不適切な画面デ−タの更新が不本意に行われるといった設定表示装置の使用上の不都合を予防あるいは防止する。【解決手段】被設定装置３の設定を行う設定表示装置２の表示画面を作成する作画端末１から前記設定表示装置２へ前記設定表示装置の表示画面の画面デ−タを伝送する表示画面伝送方式において、前記作画端末１で前記設定表示装置２の表示画面を更新した場合に更新情報を前記作画端末１の記憶手段１０１に記憶させ、前記作画端末１の記憶手段１０１に記憶された更新情報を前記設定表示装置２へ伝送して前記設定表示装置２で前記更新情報を表示する。【選択図】        図１
2005031864.tif 000002
【特許請求の範囲】
【請求項１】
被設定装置の設定を行う設定表示装置の表示画面を作成する作画端末から前記設定表示装置へ前記設定表示装置の表示画面の画面デ−タを伝送する表示画面伝送方式において、前記作画端末で前記設定表示装置の表示画面を更新した場合に更新情報を前記作画端末の記憶手段に記憶させ、前記作画端末の記憶手段に記憶された更新情報を前記設定表示装置へ伝送して前記設定表示装置で前記更新情報を表示することを特徴とする表示画面デ−タ伝送方式。
【請求項２】
被設定装置の設定を行う設定表示装置の表示画面を作成する作画端末から前記設定表示装置へ前記設定表示装置の表示画面の画面デ−タを伝送する表示画面伝送方式において、前記表示画面を更新した場合の更新情報を記憶する作画端末側の記憶手段、前記作画端末側の記憶手段に記憶された更新情報を前記設定表示装置へ伝送する伝送手段、前記設定表示装置へ伝送された更新情報を記憶する設定表示装置側の記憶手段、及び前記設定表示装置側の記憶手段に記憶された更新情報を前記設定表示装置側の表示手段に表示させる制御手段を備え、前記作画端末で前記設定表示装置の表示画面を更新した場合に更新情報を前記設定表示装置側の表示手段に表示することを特徴とする表示画面デ−タ伝送方式。
【請求項３】
請求項１及び請求項２の何れか一に記載の表示画面デ−タ伝送方式において、複数の更新情報を対比し新しい更新情報に対応する表示画面デ−タを前記作画端末から前記設定表示装置へ伝送することを特徴とする表示画面デ−タ伝送方式。
【請求項４】
被設定装置の設定を行う設定表示装置の表示画面を作成し作成した表示画面の画面デ−タを前記設定表示装置へ伝送する作画端末において、前記表示画面を更新した場合の更新情報を記憶する記憶手段、及び前記記憶手段に記憶された更新情報を前記設定表示装置へ伝送する伝送手段を備えていることを特徴とする作画端末。
【請求項５】
被設定装置の設定を行う設定表示装置の表示画面を作画端末で作成した表示画面の画面デ−タが前記作画端末から伝送される設定表示装置において、前記表示画面を更新した場合の更新情報を記憶する記憶手段、及び前記記憶手段に記憶された更新情報を表示手段に表示させる制御手段を備えていることを特徴とする設定表示装置。
【発明の詳細な説明】
【０００１】
【発明の属する技術分野】
この発明は、被設定装置の設定を行う設定表示装置の表示画面を作成する作画端末から前記設定表示装置へ前記設定表示装置の表示画面の画面デ−タを伝送する表示画面伝送方式、被設定装置の設定を行う設定表示装置の表示画面を作成し作成した表示画面の画面デ−タを前記設定表示装置へ伝送する作画端末、及び被設定装置の設定を行う設定表示装置の表示画面を作画端末で作成した表示画面の画面デ−タが前記作画端末から伝送される設定表示装置、に関するものである。
【０００２】
【従来の技術】
従来、例えば生産ライン、その他で使用されるプログラマブルコントロ−ラ（ＰＬＣとも呼称されている）等の被設定装置に対する各種指示や設定、被設定装置の動作状態のモニタのため、例えば液晶などの表示素子や表示画面上を指先などでタッチすることにより操作や設定などの指示入力を得る設定表示装置が使われる。
【０００３】
一方、前記設定表示装置の表示画面の構成や、アイコン、画面上での指示機能の作成は、パ−ソナルコンピュ−タ等の作画端末に搭載の作画ツ−ルを使って前記作画端末により行われる。
【０００４】
前記作画端末により前記作画ツ−ルを使って作成された表示画面の構成や、アイコン、画面上での指示機能などの画面デ−タは、前記作画端末から前記設定表示装置へ伝送され前記設定表示装置内の記憶手段に記憶される。
【０００５】
前記設定表示装置では、前記作画端末から伝送され前記記憶手段に記憶された前記画面デ−タに依存した画面上の表示を使って前記被設定装置に対する各種指示や設定、被設定装置の動作状態のモニタを行う。
【０００６】
また、前記設定表示装置は前記被設定装置と接続され、前記設定表示装置から前記被設定装置に対する指示や前記被設定装置の動作状態のモニタなどを定期的に行っている。
【０００７】
前記設定表示装置にて使用される画面デ−タは前記作画ツ−ルにて作成し、前記作画ツ−ルが入った前記作画端末などの外部機器と接続して、画面デ−タを前記設定表示装置に伝送して使用される。
【０００８】
前記作画ツ−ルにより作成された画面デ−タは複数画面から構成され、前記被設定装置からの指令もしくは前記設定表示装置の画面上からの操作指示によって、前記設定表示装置に表示される画面を切り替えながら使用される。
【０００９】
前記設定表示装置は前記作画ツ−ルにより作成された画面デ−タに基づき、前記設定表示装置に表示されている画面で必要となる情報を抽出し、定期的に前記被設定装置と交信する。
【００１０】
前記被設定装置との交信により得られた結果は前記設定表示装置で保有する内部デ−タに伝送され、前記設定表示装置の画面表示や動作に反映される。
【００１１】
このような表示画面デ−タ伝送方式及び作画端末並びに設定表示装置の具体的な従来例を図７により以下に説明する。
【００１２】
図７において、前記パ−ソナルコンピュ−タ等の作画端末１には、作画ツ−ル１０が搭載されており、この作画ツ−ル１０は、作画ツ−ル側の記憶手段１０１と、入力手段１０２と、作画ツ−ル側の表示手段１０３と、伝送手段１０４と、作画ツ−ル側のインタ−フェ−ス部１０５とを有している。
【００１３】
前記プログラマブルコントロ−ラ等の被設定装置３に対する各種指示や設定、被設定装置の動作状態のモニタのため、例えば液晶などの表示素子や表示画面上を指先などでタッチすることにより操作や設定などの指示入力を得る設定表示装置２は、設定表示装置側のインタ−フェ−ス部２０１と、設定表示装置側の記憶手段２０２と、制御手段２０３と、操作手段２０４と、設定表示装置側の表示手段２０５とを有している。
【００１４】
前記作画ツ−ル側の記憶手段１０１は、前記画面デ−タ１０１１を記憶する手段である。図示の前記画面デ−タ１０１１は、画面データＡを格納している例である。
【００１５】
前記入力手段１０２は、画面データの入力を行うためのものであり、前記作画端末１のキーボードなどから操作指示入力を得、前記作画ツ−ル側の記憶手段１０１へ画面データを伝達する。また、画面データの前記設定表示装置２への伝送指示も前記入力手段１０２により行われる。
【００１６】
前記作画ツ−ル側の表示手段１０３は、前記作画端末１自体のディスプレイなどの表示手段であり、入力した画面デ−タ１０１１、各種操作入力状態を、表示する手段である。
【００１７】
前記伝送手段１０４は、前記画面デ−タ１０１１を前記設定表示装置２に伝送するための手段である。
【００１８】
前記作画ツ−ル側のインタ−フェ−ス部１０５は、前記設定表示装置２と接続される前記作画端末１の通信ポートである。
【００１９】
前記設定表示装置側のインタ−フェ−ス部２０１は、前記作画端末１と接続される通信ポートである。
【００２０】
前記設定表示装置側の記憶手段２０２は、前記作画ツール１０から伝送されてきた画面デ−タ２０２１を記憶する手段である。図示の画面デ−タ２０２１は、画面データＢが既存している状態の例、つまり前記作画ツール１０から伝送されてくる画面データＡに更新する前、の例である。
【００２１】
前記制御手段２０３は、前記画面デ−タ２０２１を解釈し、それに基づく情報の生成と前記設定表示装置側の表示手段２０５への情報伝達、前記操作手段２０４からの情報処理を行う手段である。
【００２２】
前記操作手段２０４は、タッチパネル等からの各種操作入力を前記制御手段２０３へ伝達する手段である。
【００２３】
前記設定表示装置側の表示手段２０５は、前記設定表示装置２自体の液晶ディスプレイなどの表示手段であり、前記制御手段２０３からの指示が伝達され、前記画面デ−タ２０２１に基づく情報、タッチパネル等からの各種操作入力状態、メッセージを表示する手段である。
【００２４】
前述の図７の構成において、前記作画ツール１０および前記設定表示装置２が実行する処理は、以下の処理Ａ１〜処理Ｂ５からなる。
【００２５】
前記入力手段１０２にて入力した前記画面デ−タ１０１１を、前記作画ツ−ル側の記憶手段１０１に格納する処理。（処理Ａ１）。
【００２６】
前記入力手段１０２からの各種操作入力の状態を、前記作画ツ−ル側の表示手段１０３に伝達する処理。（処理Ａ２）
【００２７】
前記入力手段１０２から入力した前記画面デ−タ１０１１を、前記作画ツ−ル側の表示手段１０３に伝達する処理。（処理Ａ３）。
【００２８】
前記入力手段１０２からの画面データ伝送指示を、前記伝送手段１０４に伝達する処理。（処理Ａ４）。
【００２９】
前記作画ツ−ル側の記憶手段１０１から前記画面デ−タ１０１１を取り出す処理。（処理Ａ５）。
【００３０】
前記伝送手段１０４における前記設定表示装置２への画面データ受信要求および前記画面デ−タ１０１１の送出を行う処理。（処理Ａ６）。
【００３１】
前記作画ツール１０から送出された前記画面データ受信要求、および前記画面デ−タ１０１１を受け取る処理。（処理Ｂ１）。
【００３２】
前記作画ツール１０から受け取った画面デ−タ２０２１を、前記設定表示装置側の記憶手段２０２へ格納する処理。（処理Ｂ２）。なお、この処理Ｂ２では、前記設定表示装置側の記憶手段２０２に画面データＢが既存する場合は、画面データＢを前記作画ツール１０から更新のために伝送されてきた画面データＡに更新する。
【００３３】
前記操作手段２０４からの情報を、前記制御手段２０３へ伝達する処理。（処理Ｂ３）。
【００３４】
前記設定表示装置側の記憶手段２０２から画面データ（更新前は画面デ−タＢ、更新後は画面デ−タＡ）を、前記制御手段２０３に取り出す処理。（処理Ｂ４）。
【００３５】
前記制御手段２０３により生成された、画面データ（更新前は画面デ−タＢ、更新後は画面デ−タＡ）に基づく情報、操作指示情報、メッセージ情報を、前記設定表示装置側の表示手段２０５へ伝達する処理。（処理Ｂ５）。
【００３６】
以下、前述の図７の作用・動作を動作順に説明する。
【００３７】
先ず、前記作画ツール１０が搭載された前記作画端末１と前記設定表示装置２とを接続する。
【００３８】
前記作画ツールは、前記入力手段１０２で入力した前記画面デ−タ１０１１を、前記処理Ａ１を介して画面データＡとして前記作画ツ−ル側の記憶手段１０１に格納する。
【００３９】
前記入力手段１０２からの操作入力状態は前記処理Ａ２を介して、前記画面デ−タ１０１１は前記処理Ａ３を介して、前記作画ツ−ル側の表示手段１０３により表示する。
【００４０】
前記入力手段１０２からの所定の入力操作により、前記処理Ａ４及び前記処理Ａ５を介して、前記画面データ受信要求を、前記接続された設定表示装置２へ送出する。
【００４１】
前記処理Ａ５にて、前記画面デ−タ１０１１を作画ツ−ル側の記憶手段１０１から取り出し、前記処理Ａ６にて接続された前記設定表示装置２へ画面デ−タ１０１１を送出する。
【００４２】
前記設定表示装置２は、前記処理Ｂ１を介して受け取った前記画面デ−タ２０２１を、前記処理Ｂ２にて、前記設定表示装置側の記憶手段２０２に格納する。
【００４３】
受け取った前記画面デ−タ２０２１（画面データＡ）を前記設定表示装置側の記憶手段２０２に格納する際に、前記設定表示装置側の記憶手段２０２の記憶エリアに前記画面データＢが既存する場合は、前記画面データＢを前記画面データＡに更新する。
【００４４】
前記操作手段２０４からの指示は、前記処理Ｂ３にて前記制御手段２０３に伝達し、前記制御手段２０３にて生成した操作指示情報、メッセージ情報を、前記処理Ｂ５を介して、前記設定表示装置側の表示手段２０５により表示する。
【００４５】
前記制御手段２０３は、前記処理Ｂ４にて、前記設定表示装置側の記憶手段２０２から前記画面データ（更新前は画面デ−タＢ、更新後は画面デ−タＡ）を読み出し、前記画面データ（更新前は画面デ−タＢ、更新後は画面デ−タＡ）に基づく情報を生成し、前記処理Ｂ５を介して前記設定表示装置側の表示手段２０５により表示する。
【００４６】
【非特許文献１】
２００２年５月発行のカタログ「三菱グラフィックオペレ−ションタ−ミナルＭＥＬＳＥＣ−ＧＯＴ、ＧＯＴ−Ｆ９００シリ−ズ」（４２〜４３ペ−ジ）
【非特許文献２】
２００２年１２月発行のオペレ−ションマニュアル「三菱グラフィックオペレ−ションタ−ミナルＭＥＬＳＥＣ−ＧＯＴオペレ−ションマニュアル〔ＧＴ  Ｄｅｓｉｇｎｅｒ２対応版〕、ＧＯＴ−Ｆ９００シリ−ズ」（２４，４５〜４６，１８３，１８５〜１８６，及び２４５〜２４６ペ−ジ）
【００４７】
【発明が解決しようとする課題】
被設定装置の設定を行う設定表示装置の表示画面を作成する作画端末から前記設定表示装置へ前記設定表示装置の表示画面の画面デ−タを伝送する従来の表示画面デ−タ伝送方式及び作画端末並びに設定表示装置の構成では、前述のように、作画ツ−ルで作成した画面デ−タを設定表示装置に伝送した際に、作画ツ−ル伝送された画面デ−タの更新情報については、設定表示装置では参照することは出来なかった。つまり、設定表示装置に既存する画面デ−タが、更新前の画面デ−タか、更新後の画面デ−タか、どの時点で作成された画面デ−タであるのかを設定表示装置では参照することは出来なかった。
【００４８】
そのため、設定表示装置に既存する画面デ−タが、更新前の画面デ−タか、更新後の画面デ−タか、どの時点で作成された画面デ−タであるのかを知るためには、設定表示装置に既存する画面デ−タにより設定表示装置を動作させ、その動作結果から、設定表示装置に既存する画面デ−タが更新前の画面デ−タか、更新後の画面デ−タか、どの時点で作成された画面デ−タであるのかを判断する必要があり、正確性および利便性の面で不都合が生じる。
【００４９】
また、被設定装置の設定を行う設定表示装置の表示画面を作成する作画端末から前記設定表示装置へ前記設定表示装置の表示画面の画面デ−タを伝送する従来の表示画面デ−タ伝送方式及び作画端末並びに設定表示装置の構成では、前述のように、画面デ−タが、作画端末側から設定表示装置側へ一方的に伝送されるので、設定表示装置側のユ−ザの意図しない画面デ−タ伝送実行および画面デ−タ更新を避けられなかった。例えば作画端末側から設定表示装置側へ伝送される画面デ−タが、設定表示装置表示器に既存する画面デ−タより古い場合でも、その画面デ−タは、設定表示装置側で入力手段から伝送操作すれば、作画端末側から設定表示装置側へ自動的に実行され設定表示装置側の既存の画像デ−タは自動的に更新されてしまい、設定表示装置側では画面デ−タが更新されていることに気付かずに被設定装置に対する不適正な各種指示や設定、被設定装置の動作状態のモニタを行ったり、或いは操作途中で気付き、画面デ−タを適正な画面デ−タに再更新しなおして、再度、被設定装置に対する不適正な各種指示や設定、被設定装置の動作状態のモニタを行うなどの不都合が生じる。
【００５０】
この発明は前述のような従来の実情に鑑みてなされたもので、被設定装置の設定を行う設定表示装置の表示画面を作成する作画端末から前記設定表示装置へ前記設定表示装置の表示画面の画面デ−タを伝送する表示画面伝送方式において、不適切な画面デ−タの更新が不本意に行われるといった設定表示装置の使用上の不都合を予防あるいは防止することを目的とするものである。
【００５１】
【課題を解決するための手段】
この発明に係る表示画面デ−タ伝送方式は、被設定装置の設定を行う設定表示装置の表示画面を作成する作画端末から前記設定表示装置へ前記設定表示装置の表示画面の画面デ−タを伝送する表示画面伝送方式において、前記作画端末で前記設定表示装置の表示画面を更新した場合に更新情報を前記作画端末の記憶手段に記憶させ、前記作画端末の記憶手段に記憶された更新情報を前記設定表示装置へ伝送して前記設定表示装置で前記更新情報を表示するものである。
【００５２】
また、この発明に係る表示画面デ−タ伝送方式に使用される作画端末は、被設定装置の設定を行う設定表示装置の表示画面を作成し作成した表示画面の画面デ−タを前記設定表示装置へ伝送する作画端末において、前記表示画面を更新した場合の更新情報を記憶する記憶手段、及び前記記憶手段に記憶された更新情報を前記設定表示装置へ伝送する伝送手段を備えているものである。
【００５３】
また、この発明に係る表示画面デ−タ伝送方式に使用される設定表示装置は、被設定装置の設定を行う設定表示装置の表示画面を作画端末で作成した表示画面の画面デ−タが前記作画端末から伝送される設定表示装置において、前記表示画面を更新した場合の更新情報を記憶する記憶手段、及び前記記憶手段に記憶された更新情報を表示手段に表示させる制御手段を備えているものである。
【００５４】
【発明の実施の形態】
実施の形態１．
以下、この発明の実施の形態１を図１に基づいて説明する。図１は表示画面デ−タ伝送方式及び作画端末並びに設定表示装置の具体的な構成の一例を示す図で、同図において、パ−ソナルコンピュ−タ等の作画端末１には、作画ツ−ル１０が搭載されており、この作画ツ−ル１０は、作画ツ−ル側の記憶手段１０１と、入力手段１０２と、作画ツ−ル側の表示手段１０３と、伝送手段１０４と、作画ツ−ル側のインタ−フェ−ス部１０５とを有している。
【００５５】
前記プログラマブルコントロ−ラ等の被設定装置３に対する各種指示や設定、被設定装置の動作状態のモニタのため、例えば液晶などの表示素子や表示画面上を指先などでタッチすることにより操作や設定などの指示入力を得る設定表示装置２は、設定表示装置側のインタ−フェ−ス部２０１と、設定表示装置側の記憶手段２０２と、制御手段２０３と、操作手段２０４と、設定表示装置側の表示手段２０５とを有している。
【００５６】
前記作画ツ−ル側の記憶手段１０１は、画面デ−タ１０１１及び作画参照情報１０１２を記憶する手段である。図示の前記画面デ−タ１０１１は、画面データＡを格納している例であり、図示の前記作画参照情報１０１２は、作画参照情報Ａを格納している例である。なお、前記作画参照情報１０１２は、前記画面デ−タ１０１１の更新情報である。
【００５７】
前記入力手段１０２は、画面デ−タの入力を行うためのものであり、前記作画端末１のキ−ボ−ドなどから操作指示入力を得、前記作画ツ−ル側の記憶手段１０１へ画面デ−タを伝達する。また、画面デ−タの前記設定表示装置２への伝送指示も入力手段１０２により行われる。更に、前記作画参照情報１０１２の設定を入力し、前記作画参照情報１０１２の入力の前記作画ツ−ル側の記憶手段１０１への伝達を行う機能を有し、また、前記伝送手段１０４の後述の対比結果通知の機能、および伝送実行ＹＥＳ／ＮＯ選択手段へユ−ザが選択した結果（入力）を伝達する機能、を有している。
【００５８】
前記作画ツ−ル側の表示手段１０３は、前記作画端末１自体のディスプレイなどの表示手段であり、入力した画面デ−タ１０１１、各種操作入力状態、メッセ−ジを、表示する手段であり、更に、前記入力手段１０２から伝達されてきた前記対比結果通知の表示および前記伝送実行ＹＥＳ／ＮＯ選択メッセ−ジを表示する手段である。
【００５９】
前記伝送手段１０４は、更新情報の対比手段１０４１と、対比結果通知および伝送実行ＹＥＳ／ＮＯ選択手段１０４２と、伝送実行手段１０４３とから構成されている。
【００６０】
前記更新情報の対比手段１０４１は、前記設定表示装置２内の作画参照情報２０２２（図示は作画参照情報Ｂを格納している例）を読み出し、この読み出した作画参照情報２０２２と前記作画ツ−ル側の記憶手段１０１内の作画参照情報１０１２（図示は作画参照情報Ａを格納している例）とを対比する手段である。
【００６１】
前記対比結果通知および伝送実行ＹＥＳ／ＮＯ選択手段１０４２は、前記更新情報の対比手段１０４１にて対比した結果、前記作画参照情報Ｂが前記作画参照情報Ａより古い場合、その通知と伝送実行ＹＥＳ／ＮＯ選択のメッセ−ジを前記作画ツ−ル側の表示手段１０３に伝達し、前記選択の結果、伝送を実行する場合、その伝送実行の指示を前記伝送実行手段１０４３に伝達する。
【００６２】
前記伝送実行手段１０４３は、前記画面デ−タ１０１１を前記設定表示装置２に伝送するための手段である。
【００６３】
前記作画ツ−ル側のインタ−フェイス部１０５は、前記設定表示装置２と接続される前記作画端末１の通信ポ−トである。
【００６４】
前記設定表示装置側のインタ−フェ−ス部２０１は、前記作画端末１と接続される通信ポートである。
【００６５】
前記設定表示装置側の記憶手段２０２は、前記作画ツール１０から伝送されてきた画面デ−タ２０２１および作画参照情報２０２２を記憶する手段である。図示の画面デ−タ２０２１および作画参照情報２０２２は、前記作画ツ−ル１０から画面デ−タＡと作画参照情報Ａとが伝送されてくる以前から、画面データＢおよび作画参照情報Ｂが既存している状態の例、つまり前記作画ツール１０から伝送されてくる画面データＡおよび作画参照情報Ａに更新する前、の例である。なお、前記作画参照情報２０２２は、前記画面デ−タ２０２１の更新情報であり、前記設定表示装置２に前記画面デ−タ２０２１が無い場合は空となる。
【００６６】
前記制御手段２０３は、前記画面デ−タ２０２１を解釈し、それに基づく情報の生成と前記設定表示装置側の表示手段２０５への情報伝達、前記操作手段２０４からの情報処理を行う手段であり、また、作画参照情報２０２２の表示指示を設定表示装置側の表示手段２０５へ伝達する手段である。
【００６７】
前記操作手段２０４は、タッチパネル等からの各種操作入力を前記制御手段２０３へ伝達する手段であり、また、所定の操作入力があれば、前記作画参照情報２０２２の読み出し指示を前記制御手段２０３へ伝達す手段である。
【００６８】
前記設定表示装置側の表示手段２０５は、前記設定表示装置２自体の液晶ディスプレイなどの表示手段であり、前記制御手段２０３からの指示が伝達され、前記画面デ−タ２０２１に基づく情報、タッチパネル等からの各種操作入力状態、メッセージを表示させる手段であり、また、前記制御手段２０３からの指示を伝達し、作画参照情報２０２２を表示する手段である。
【００６９】
前述の図１の構成において、前記作画ツール１０および前記設定表示装置２が実行する処理は、処理Ａ１〜処理Ｂ１０からなる。
【００７０】
前記入力手段１０２にて入力した前記画面デ−タ１０１１を、前記作画ツ−ル側の記憶手段１０１に格納する処理。（処理Ａ１）。
【００７１】
前記入力手段１０２にて設定し、入力した作画参照情報２０２２を、作画ツ−ル側の記憶手段１０１に格納する処理。（処理Ａ２）。
【００７２】
前記入力手段１０２による各種操作入力の状態を、前記作画ツ−ル側の表示手段１０３に伝達する処理。（処理Ａ３）。
【００７３】
前記入力手段１０２にて入力した画面デ−タ１０１１（図では画面デ−タＡを例示）とその作画参照情報１０１２（図では作画参照情報Ａを例示）とを、作画ツ−ル側の表示手段１０３に伝達する処理。（処理Ａ４）。
【００７４】
前記入力手段１０２からの画面デ−タ伝送要求を、前記伝送手段１０４に伝達する処理。（処理Ａ５）。
【００７５】
前記伝送手段１０４から前記設定表示装置２への、作画参照情報２０２２（図では作画参照情報Ｂを提示）の送出要求、画面デ−タ更新要求を行う処理、及び画面デ−タ１０１１（図では画面デ−タＡを例示）、作画参照情報１０１２（図では作画参照情報Ａを例示）を送出する処理。（処理Ａ６）。
【００７６】
前記設定表示装置２から送出された作画参照情報２０２２（図では作画参照情報Ｂを例示）を受取る処理。（処理Ａ７）。
【００７７】
前記処理Ａ７を介して受取った作画参照情報２０２２（図では作画参照情報Ｂを例示）が空の場合、伝送実行指示を前記伝送実行手段１０４３へ伝達する処理。（処理Ａ８−１）。なお、この処理Ａ８−１は、前記作画参照情報１０１２（図では作画参照情報Ａを例示）と前記作画参照情報２０２２（図では作画参照情報Ｂを例示）との対比の結果、前記作画参照情報１０１２（図では作画参照情報Ａを例示）が作画参照情報２０２２（図では作画参照情報Ｂを例示）より新しい場合も、伝送実行指示を前記伝送実行手段１０４３へ伝達する。
【００７８】
前記処理Ａ７を介して受取った作画参照情報２０２２（図では作画参照情報Ｂを例示）が空でない場合、前記作画ツ−ル側の記憶手段１０１から作画参照情報１０１２（図では作画参照情報Ａを例示）を読み出す処理。（処理Ａ８−２）。
【００７９】
作画参照情報１０１２（図では作画参照情報Ａを例示）が作画参照情報２０２２（図では作画参照情報Ｂを例示）より古い場合、作画参照情報１０１２（図では作画参照情報Ａを例示）と作画参照情報２０２２（図では作画参照情報Ｂを例示）の対比結果を伝達する処理。（処理Ａ９）。
【００８０】
作画参照情報１０１２（図では作画参照情報Ａを例示）と作画参照情報２０２２（図では作画参照情報Ｂを例示）との対比結果と、伝送実行ＹＥＳ／ＮＯ選択メッセ−ジとを、前記作画ツ−ル側の表示手段１０３に伝達する処理。（処理Ａ１０）。
【００８１】
画面デ−タの伝送実行ＹＥＳ／ＮＯ選択を、前記入力手段１０２から入力する処理。（処理Ａ１１）。
【００８２】
前記処理Ａ１１からの結果がＹＥＳの場合、伝送実行指示を、前記対比結果通知および伝送実行ＹＥＳ／ＮＯ選択手段１０４２から前記伝送実行手段１０４３へ伝達する処理。（処理Ａ１２）。
【００８３】
前記伝送実行指示がある場合、前記作画ツ−ル側の記憶手段１０１から前記画面デ−タ１０１１（図では画面デ−タＡを例示）を取り出す処理。（処理Ａ１３）。
【００８４】
前記伝送実行指示がある場合、前記作画ツ−ル側の記憶手段１０１から前記作画参照情報１０１２（図では作画参照情報Ａを例示）を取り出す処理。（処理Ａ１４）。
【００８５】
前記作画ツ−ル１０から送出された作画参照情報２０２２（図では作画参照情報Ｂを例示）の送出要求、画面デ−タ更新要求、画面デ−タ１０１１（図では画面デ−タＡを例示）、前記作画参照情報１０１２（図では作画参照情報Ａを例示）を、前記設定表示装置側のインタフェース部２０１で受け取る処理。（処理Ｂ１）。
【００８６】
受け取った前記作画参照情報２０２２（図では作画参照情報Ｂを例示）の送出要求を設定表示装置側の記憶手段２０２へ伝達する処理。（処理Ｂ２）。
【００８７】
前記作画参照情報２０２２（図では作画参照情報Ｂを例示）の送出要求に基づき、前記作画参照情報２０２２（図では作画参照情報Ｂを例示）を前記設定表示装置側のインタ−フェイス部２０１へ返信する処理。（処理Ｂ３）。
【００８８】
前記処理Ｂ３の情報を、前記設定表示装置側のインタ−フェイス部２０１から前記作画ツ−ル１０へ送出する処理。（処理Ｂ４）。
【００８９】
画面デ−タ更新要求に基づき、前記設定表示装置側のインタ−フェイス部２０１が受取った画面デ−タ１０１１（図では画面デ−タＡを例示）を、設定表示装置側の記憶手段２０２へ格納する処理。（処理Ｂ５）。前記設定表示装置側の記憶手段２０２に画面デ−タ２０２１（図では画面デ−タＢを例示）が既存する場合、当該画面デ−タ２０２１（図では画面デ−タＢを例示）を、画面デ−タ１０１１（図では画面デ−タＡを例示）に更新する。
【００９０】
画面デ−タ更新要求に基づき、前記設定表示装置側のインタ−フェイス部２０１が受取った作画参照情報１０１２（図では作画参照情報Ａを例示）を、設定表示装置側の記憶手段２０２へ格納する処理。（処理Ｂ６）。前記設定表示装置側の記憶手段２０２に作画参照情報２０２２（図では作画参照情報Ｂを例示）が既存する場合、当該作画参照情報２０２２（図では作画参照情報Ｂを例示）を、作画参照情報画面デ−タ１０１２（図では作画参照情報Ａを例示）に更新する。
【００９１】
前記操作手段２０４からの情報を前記制御手段２０３へ伝達する処理、及び画面デ−タ更新情報の表示指示を前記制御手段２０３へ伝達する処理。（処理Ｂ７）。
【００９２】
設定表示装置側の記憶手段２０２から画面デ−タ（更新前は画面デ−タＢ、更新後は画面デ−タＡ）を前記制御手段２０３に取り出す処理。（処理Ｂ８）。
【００９３】
前記制御手段２０３により生成された、画面デ−タ（更新前は画面デ−タＢ、更新後は画面デ−タＡ）に基づく情報、操作指示情報、メッセ−ジ情報を設定表示装置側の表示手段２０５へ伝達する処理。（処理Ｂ９）。
【００９４】
画面デ−タ更新情報の表示要求に基づき、作画参照情報（更新前は作画参照情報Ｂ、更新後は作画参照情報Ａ）を前記制御手段２０３へ読み出す処理。（処理Ｂ１０）。
【００９５】
以下、前述の図１の作用・動作を動作順に説明する。
【００９６】
先ず、前記作画ツール１０が搭載された前記作画端末１と前記設定表示装置２とを接続する。
【００９７】
前記作画ツールは、前記入力手段１０２で入力した前記画面デ−タ１０１１を、前記処理Ａ１を介して画面データＡとして前記作画ツ−ル側の記憶手段１０１に格納する。
【００９８】
前記入力手段１０２で設定および入力した画面デ−タ１０１１（図では画面デ−タＡを例示）の更新情報などの作画参照情報１０１２を、前記処理Ａ２を介して作画参照情報Ａとして作画ツ−ル側の記憶手段１０１に格納する。
【００９９】
前記入力手段１０２からの操作入力状態は処理Ａ３を介して、画面デ−タ１０１１（図では画面デ−タＡを例示）および作画参照情報１０１２（図では作画参照情報Ａを例示）は、前記処理Ａ４を介して前記作画ツ−ル側の表示手段１０３により表示する。
【０１００】
前記入力手段１０２からの所定の入力操作により、前記処理Ａ５、前記処理Ａ６を介して作画参照情報２０２２（図では作画参照情報Ｂを例示）の送出要求を、前記接続された設定表示装置２へ送出する。
【０１０１】
前記設定表示装置２は、前記処理Ｂ１を介して受け取った作画参照情報２０２２（図では作画参照情報Ｂを例示）の送出要求を、前記処理Ｂ２を介して前記設定表示装置側の記憶手段２０２に伝達する。
【０１０２】
前記創出要求があった作画参照情報２０２２（図では作画参照情報Ｂを例示）を、前記処理Ｂ３を介して前記設定表示装置側のインタ−フェイス部２０１へ返信する。
【０１０３】
前記処理Ｂ３を介して前記設定表示装置側のインタ−フェイス部２０１へ返信された作画参照情報２０２２（図では作画参照情報Ｂを例示）を、前記処理Ｂ４を介して前記作画ツ−ル１０へ送出する。
【０１０４】
前記作画ツ−ル１０は、前記処理Ａ７を介して前記設定表示装置２から送出された作画参照情報２０２２（図では作画参照情報Ｂを例示）受取る。
【０１０５】
前記処理Ａ７を介して受取った作画参照情報２０２２（図では作画参照情報Ｂを例示）が空の場合は、前記処理Ａ８−１にて伝送実行指示を前記伝送実行手段１０４３へ伝達する。
【０１０６】
前記処理Ａ７を介して受取った作画参照情報２０２２（図では作画参照情報Ｂを例示）が空でない場合は、前記処理Ａ８−２にて前記作画ツ−ル側の記憶手段１０１から作画参照情報１０１２（図では作画参照情報Ａを例示）を読み出す。
【０１０７】
前記更新情報対比手段１０４１による前記作画参照情報１０１２（図では作画参照情報Ａを例示）と前記作画参照情報２０２２（図では作画参照情報Ｂを例示）との対比の結果、前記作画参照情報１０１２（図では作画参照情報Ａを例示）が前記作画参照情報２０２２（図では作画参照情報Ｂを例示）より新しい場合は、前記処理Ａ８−１にて伝送実行指示を伝送実行手段１０４３へ伝達する。
【０１０８】
前記作画参照情報１０１２（図では作画参照情報Ａを例示）が前記作画参照情報２０２２（図では作画参照情報Ｂを例示）より古い場合は、前記処理Ａ９を介して、前記作画参照情報１０１２（図では作画参照情報Ａを例示）と前記作画参照情報２０２２（図では作画参照情報Ｂを例示）との対比結果を、前記対比結果通知および伝送実行ＹＥＳ／ＮＯの選択手段へ伝達する。
【０１０９】
前記作画参照情報１０１２（図では作画参照情報Ａを例示）と前記作画参照情報２０２２（図では作画参照情報Ｂを例示）との対比結果及び伝送実行ＹＥＳ／ＮＯ選択のメッセ−ジを、前記処理Ａ１０を介して、前記作画ツ−ル側の表示手段１０３により表示する。
【０１１０】
前記入力手段１０２により、前記処理Ａ１１にて、画面デ−タの伝送実行ＹＥＳ／ＮＯ選択情報を取得する。
【０１１１】
前記処理Ａ１１からの結果が伝送実行ＹＥＳの場合、前記処理Ａ１２にて伝送実行指示を、前記入力手段１０２から前記伝送実行手段１０４３へ伝達する。
【０１１２】
前記処理Ａ１１からの結果が伝送実行ＮＯの場合、伝送処理を中止し、前記入力手段１０２にて入力待ちを続ける。
【０１１３】
前記伝送実行指示がある場合、前記処理Ａ１３にて前記作画ツ−ル側の記憶手段１０１から画面デ−タ１０１１（図では画面デ−タＡを例示）を取り出す。また、前記処理Ａ１４にて前記作画ツ−ル側の記憶手段１０１から前記作画参照情報１０１２（図では作画参照情報Ａを例示）を取り出す。
【０１１４】
前記処理Ａ６を介して画面デ−タ更新要求を、前記接続された設定表示装置２へ送出する。
【０１１５】
前記処理Ａ６を介して前記画面デ−タ１０１１（図では画面デ−タＡを例示）と前記作画参照情報１０１２（図では作画参照情報Ａを例示）とを、前記接続された設定表示装置２送出する。
【０１１６】
前記設定表示装置２は、前記処理Ｂ１を介して受け取った前記画面デ−タ１０１１（図では画面デ−タＡを例示）を、前記処理Ｂ５にて前記設定表示装置側の記憶手段２０２に格納する。
【０１１７】
前記設定表示装置２は、前記処理Ｂ１を介して受け取った前記作画参照情報１０１２（図では作画参照情報Ａを例示）を、前記処理Ｂ６にて前記設定表示装置側の記憶手段２０２に格納する。
【０１１８】
前記設定表示装置２では、受け取った画面デ−タを格納する際に、表示器の記憶エリアに画面デ−タ２０２１（図では画面デ−タＢを例示）が既存する場合、前記画面デ−タ２０２１（図では画面デ−タＢを例示）を、前記画面デ−タ１０１１（図では画面デ−タＡを例示）に、前記作画参照情報２０２２（図では作画参照情報Ｂを例示）を前記作画参照情報１０１２（図では作画参照情報Ａを例示）に更新する。
【０１１９】
前記操作手段２０４からの指示は、前記処理Ｂ７にて前記制御手段２０３に伝達し、前記制御手段２０３にて生成した操作指示情報、メッセ−ジ情報を、前記処理Ｂ９を介して前記設定表示装置側の表示手段２０５により表示する。
【０１２０】
前記制御手段２０３は、前記処理Ｂ８にて前記設定表示装置側の記憶手段２０２から画面デ−タ２０２１（更新前は画面デ−タＢ、更新後は画面デ−タＡ）を読み出し、画面デ−タ２０２１（更新前は画面デ−タＢ、更新後は画面デ−タＡ）に基づく情報を生成し、前記処理Ｂ９を介して前記設定表示装置側の表示手段２０５により表示する。
【０１２１】
前記操作手段２０４から更新情報の表示要求があった場合、前記制御手段２０３は、前記処理Ｂ１０にて前記設定表示装置側の記憶手段２０２から、図面デ−タ２０２１の更新情報（更新前は図面デ−タＢの更新情報、更新後は図面デ−タＡの更新情報）を含む作画参照情報２０２２（更新前は作画参照情報Ｂ、更新後は作画参照情報Ａ）を読み出し、前記処理Ｂ９を介して前記設定表示装置側の表示手段２０５により表示する。
【０１２２】
実施の形態２．
以下、この発明の実施の形態２を図２により説明する。図２は前述の図１において示した作画ツ−ル１０により画面デ−タの更新情報を設定、入力、記憶する機能、動作を具体的に示すフロ−図である。以下、図２のフロ−図の流れに沿って図１の関連要素と関連付けながら説明する。
【０１２３】
前記入力手段１０２で入力した画面デ−タを画面デ−タＡとして作画ツ−ル側の記憶手段１０１に格納する。（ステップＳＴ１）。
【０１２４】
前記入力手段１０２により更新情報の種類の選択結果を取得する。（ステップＳＴ２）。
【０１２５】
前記入力手段１０２による前記更新情報の種類の選択結果が、「画面デ−タの作成日付時刻」の場合（ステップＳＴ３）、前記作画ツ−ル側の記憶手段１０１に前記画面デ−タＡを格納した時の日付時刻情報を取得（ステップＳＴ４）し、当該画面デ−タＡを格納した時の日付時刻情報を作画参照情報Ａとして前記作画ツ−ル側の記憶手段１０１に格納する。（ステップＳＴ６）。
【０１２６】
前記入力手段１０２による前記更新情報の種類の選択結果が「変更履歴」もしくは「バ−ジョン情報」の場合、前記入力手段１０２で「変更履歴」もしくは「バ−ジョン情報」を入力（ステップＳＴ５）し、前記前記入力手段１０２で入力した「変更履歴」もしくは「バ−ジョン情報」を、作画参照情報Ａとして前記作画ツ−ル側の記憶手段１０１に格納する。（ステップＳＴ６）。
【０１２７】
実施の形態３．
以下、この発明の実施の形態３を図３により説明する。図３は前述の図１において示した作画ツ−ル１０の伝送手段１０４の機能、動作を具体的に示すフロ−図である。以下、図３のフロ−図の流れに沿って図１の関連要素と関連付けながら説明する。
【０１２８】
画面デ−タの伝送要求が生じると（ステップＳＴ１）、前記伝送手段１０４は、前記設定表示装置２に作画参照情報２０２２（図では作画参照情報Ｂを例示）の送出要求を送る。（ステップＳＴ２）。
【０１２９】
前記伝送手段１０４は、前記設定表示装置２から返信された作画参照情報２０２２（図では作画参照情報Ｂを例示）を受取る。（ステップＳＴ３）。
【０１３０】
前記伝送手段１０４が前記設定表示装置２から受取った作画参照情報２０２２（図では作画参照情報Ｂを例示）が空の場合（ステップＳＴ４）、画面デ−タ更新要求を前記設定表示装置２に送り（ステップＳＴ９）、更に前記作画ツ−ル側の記憶手段１０１の画面デ−タ１０１１（図では画面デ−タＡを例示）及び作画参照情報１０１２（図では作画参照情報Ａを例示）を読み出し、前記設定表示装置２へ順次伝送する。（ステップＳＴ１０）。
【０１３１】
前記伝送手段１０４が前記設定表示装置２から受取った作画参照情報２０２２（図では作画参照情報Ｂを例示）が空でない場合（ステップＳＴ４）、前記作画ツ−ル側の記憶手段１０１から作画参照情報１０１２（図では作画参照情報Ａを例示）を読み出し（ステップＳＴ５）、前記更新情報対比手段１０４１においてて前記作画参照情報１０１２（図では作画参照情報Ａを例示）と前記作画参照情報２０２２（図では作画参照情報Ｂを例示）とを照合する。（ステップＳＴ６）．
【０１３２】
前記更新情報対比手段１０４１による前記作画参照情報１０１２（図では作画参照情報Ａを例示）と前記作画参照情報２０２２（図では作画参照情報Ｂを例示）との対比の結果、前記作画参照情報１０１２（図では作画参照情報Ａを例示）が前記作画参照情報２０２２（図では作画参照情報Ｂを例示）より新しい場合は（ステップＳＴ６）、画面デ−タ更新要求を前記設定表示装置２に送り（ステップＳＴ９）、更に前記作画ツ−ル側の記憶手段１０１の画面デ−タ１０１１（図では画面デ−タＡを例示）及び作画参照情報１０１２（図では作画参照情報Ａを例示）を読み出し、前記設定表示装置２へ順次伝送する。（ステップＳＴ１０）。
【０１３３】
前記更新情報対比手段１０４１による前記作画参照情報１０１２（図では作画参照情報Ａを例示）と前記作画参照情報２０２２（図では作画参照情報Ｂを例示）との対比の結果、前記作画参照情報１０１２（図では作画参照情報Ａを例示）が前記作画参照情報２０２２（図では作画参照情報Ｂを例示）より古い場合は（ステップＳＴ６）、前記作画参照情報１０１２（図では作画参照情報Ａを例示）と前記作画参照情報２０２２（図では作画参照情報Ｂを例示）との対比の結果と、伝送実行ＹＥＳ／ＮＯ選択メッセ−ジとを、前記作画ツ−ル側の表示手段１０３に表示する。（ステップＳＴ７）。
【０１３４】
前記ステップＳＴ６における前記作画参照情報１０１２（図では作画参照情報Ａを例示）と前記作画参照情報２０２２（図では作画参照情報Ｂを例示）との対比による前述の更新情報の新旧の判定において、例えば更新情報としてバ−ジョン情報を選択している場合は、バ−ジョンが例えばＡ→Ｂ→・・・Ｚの順に新しくなると予め定義しておく。
【０１３５】
前記伝送実行ＹＥＳ／ＮＯ選択メッセ−ジ表示（ステップＳＴ７）に続いて、伝送実行ＹＥＳ／ＮＯ選択情報を取得する。（ステップＳＴ８）。
【０１３６】
ユ−ザ（前記設定表示装置２側）の選択結果が伝送実行ＹＥＳの場合（ステップＳＴ８）、画面デ−タ更新要求を前記設定表示装置２に送り（ステップＳＴ９）、更に前記作画ツ−ル側の記憶手段１０１の画面デ−タ１０１１（図では画面デ−タＡを例示）及び作画参照情報１０１２（図では作画参照情報Ａを例示）を読み出し、前記設定表示装置２へ順次伝送する。（ステップＳＴ１０）。
【０１３７】
ユ−ザ（前記設定表示装置２側）の選択結果が伝送実行ＮＯの場合（ステップＳＴ８）、前記作画端末側の入力手段１０２により伝送処理を中止する。
【０１３８】
実施の形態４．
以下、この発明の実施の形態４を図４により説明する。図４は前述の図１において示した設定表示装置２側の記憶手段２０２の機能、動作を具体的に示すフロ−図である。以下、図４のフロ−図の流れに沿って図１の関連要素と関連付けながら説明する。
【０１３９】
前記作画ツ−ル１０から作画参照情報２０２２（図では作画参照情報Ｂを例示）の送出要求が生じると（ステップＳＴ１）、前記設定表示装置側の記憶手段２０２から作画参照情報２０２２（図では作画参照情報Ｂを例示）を読み出して前記作画ツ−ル１０へ返信する。（ステップＳＴ２）。
【０１４０】
前記作画ツ−ル１０から画面デ−タ更新要求が生じた場合（ステップＳＴ３）、前記設定表示装置側の記憶手段２０２に画面デ−タ２０２１（図では画面デ−タＢを例示）が既存する場合（ステップＳＴ４）は、前記作画ツ−ル１０から伝送されてきた画面デ−タ１０１１（図では画面デ−タＡを例示）と作画参照情報１０１２（図では作画参照情報Ａを例示）とを受取り、設定表示装置側の記憶手段２０２に既存する画面デ−タ２０２１（図では画面デ−タＢを例示）を画面デ−タ１０１１（図では画面デ−タＡを例示）へ更新し、作画参照情報２０２２（図では作画参照情報Ｂを例示）を作画参照情報１０１２（図では作画参照情報Ａを例示）に更新する。（ステップＳＴ５）。
【０１４１】
また、前記作画ツ−ルから画面デ−タ更新要求が生じた場合（ステップＳＴ４）、前記設定表示装置側の記憶手段２０２に画面デ−タ２０２１が既存しない場合は、前記作画ツ−ル１０から伝送されてきた画面デ−タ１０１１（図では画面デ−タＡを例示）と作画参照情報１０１２（図では作画参照情報Ａを例示）を受取り、前記設定表示装置側の記憶手段２０２に記憶する。（ステップＳＴ６）。
【０１４２】
実施の形態５．
以下、この発明の実施の形態５を図５により説明する。図５は前述の図１において示した設定表示装置２における更新情報を表示する機能、動作を具体的に示すフロ−図である。以下、図５のフロ−図の流れに沿って図１の関連要素と関連付けながら説明する。
【０１４３】
図５は前記設定表示装置側の記憶手段２０２に作画参照情報２０２２（図では作画参照情報Ｂを例示）が格納されている例である。
【０１４４】
前記設定表示装置２には予めシステムメニュ−という画面を持たせておく。
【０１４５】
前記システムメニュ−は前記操作手段２０４からの所定の操作入力に基づき前記設定表示装置側の表示手段２０５に表示する。（ステップＳＴ１）。
【０１４６】
前記システムメニュ−内には「画面デ−タ参照メニュ−」他、複数のメニュ−が表示され、タッチキ−入力などで何れかのメニュ−を選択する。
【０１４７】
画面デ−タ参照メニュ−が選択されれば（ステップＳＴ２）、前記設定表示装置側の記憶手段２０２から作画参照情報２０２２（図では作画参照情報Ｂを例示）を読み出し（ステップＳＴ３）、設定表示装置側の表示手段２０５により液晶画面などに表示する。（ステップＳＴ４）
【０１４８】
前記画面デ−タ参照メニュ−が選択されない場合（ステップＳＴ２）、前記画面デ−タ参照メニュ−以外の参照メニュ−が選択されれば、ステップＳＴ５に進む。
【０１４９】
実施の形態６．
以下、この発明の実施の形態６を図６により説明する。図６は前述の図１において示した前記設定表示装置２側の表示手段２０５への更新情報の表示画面例を示す図である。
【０１５０】
図６において、前記設定表示装置２側の表示手段２０５に画面表示される「画面デ−タ参照メニュ−」は、例えば、画面デ−タのプロジェクト名２０５１、更新情報２０５２、プロジェクトを構成する個々の画面ナンバ−２０５３などを表示するメニュ−である。
【０１５１】
なお、前述の図１に示されるように、前記設定表示装置２は、一の作画端末１に対してｎ個（設定表示装置２ｎ）接続されており、これらｎ個の設定表示装置と前記作画端末１との相対的機能や相対的動作は、前述の設定表示装置２と前記作画端末１との相対的機能や相対的動作と同じであり、また、前記ｎ個の設定表示装置の構成、機能、動作は、前述の設定表示装置２の構成、機能、動作と同じである。
【０１５２】
前述のように、この発明の実施の形態では、以下（１）〜（１８）の特徴を有している。
【０１５３】
（１）被設定装置３の設定を行う設定表示装置２の表示画面を作成する作画端末１から前記設定表示装置２へ前記設定表示装置の表示画面の画面デ−タを伝送する表示画面伝送方式において、前記作画端末１で前記設定表示装置２の表示画面を更新した場合に更新情報を前記作画端末１の記憶手段１０１に記憶させ、前記作画端末１の記憶手段１０１に記憶された更新情報を前記設定表示装置２へ伝送して前記設定表示装置２で前記更新情報を表示する。
【０１５４】
（２）被設定装置３の設定を行う設定表示装置２の表示画面を作成する作画端末１から前記設定表示装置２へ前記設定表示装置２の表示画面の画面デ−タを伝送する表示画面伝送方式において、前記表示画面を更新した場合の更新情報を記憶する作画端末側の記憶手段１０１、前記作画端末側の記憶手段１０１に記憶された更新情報を前記設定表示装置２へ伝送する伝送手段１０４、前記設定表示装置２へ伝送された更新情報を記憶する設定表示装置側の記憶手段２０２、及び前記設定表示装置側の記憶手段２０２に記憶された更新情報を前記設定表示装置側の表示手段２０５に表示させる制御手段２０３を備え、前記作画端末１で前記設定表示装置２の表示画面を更新した場合に更新情報を前記設定表示装置側の表示手段２０２に表示する。
【０１５５】
（３）前記特徴（１）（２）において、複数の更新情報を対比し新しい更新情報に対応する表示画面デ−タを前記作画端末１から前記設定表示装置２へ伝送する。
【０１５６】
（４）被設定装置３の設定を行う設定表示装置２の表示画面を作成し作成した表示画面の画面デ−タを前記設定表示装置２へ伝送する作画端末１において、前記表示画面を更新した場合の更新情報を記憶する記憶手段１０１、及び前記記憶手段１０１に記憶された更新情報を前記設定表示装置２へ伝送する伝送手段１０４を備えている。
【０１５７】
（５）被設定装置３の設定を行う設定表示装置２の表示画面を作画端末１で作成した表示画面の画面デ−タが前記作画端末１から伝送される設定表示装置２において、前記表示画面を更新した場合の更新情報を記憶する記憶手段２０２、及び前記記憶手段２０２に記憶された更新情報を表示手段２０５に表示させる制御手段２０３を備えている。
【０１５８】
（６）画面デ−タを記憶する記憶手段２０２、記憶手段に対して読出し・記憶・更新する制御手段２０３、制御手段２０３によって所定情報を表示する表示手段２０５を備えた設定表示装置であって、前記記憶手段２０２は画面デ−タと共に、画面デ−タの更新情報（例えば画面デ−タの作成日付時刻情報）を記憶し、また画面デ−タと共に、画面デ−タの更新情報（例えば画面デ−タの作成日付時刻情報）を表示手段に表示可能とした。
【０１５９】
（７）画面デ−タを記憶する記憶手段２０２、記憶手段に対して読出し・記憶・更新する制御手段２０３、制御手段２０３によって所定情報を表示する表示手段２０５を備えた設定表示装置であって、記憶手段２０２は、作画ツ−ル１０から画面デ−タと共に伝送されてきた画面デ−タの更新情報も記憶する。
【０１６０】
（８）画面デ−タを記憶する記憶手段２０２、記憶手段に対して読出し・記憶・更新する制御手段２０３、制御手段２０３によって所定情報を表示する表示手段２０５を備えた設定表示装置であって、操作手段２０４に、予め定められた操作を入力することにより、それに基づき制御手段２０３は、画面デ−タの更新情報を表示手段２０５に表示させる。
【０１６１】
（９）画面デ−タの入力手段１０２、画面デ−タを記憶する記憶手段１０１、画面デ−タを設定表示装置２に伝送する伝送手段１０４を備えた作画ツ−ルであって、画面デ−タと共に更新情報を、記憶手段１０１に記憶し、また設定表示装置２へ伝送可能とした。
【０１６２】
（１０）画面デ−タの入力手段１０２、画面デ−タを記憶する記憶手段１０１、画面デ−タを設定表示装置２に伝送する伝送手段１０４を備えた作画ツ−ルであって、画面デ−タと共に更新情報を、記憶手段１０１に記憶し、また設定表示装置２へ伝送可能とし、しかも更新情報の入力機能、更新情報の設定（種類）の選択機能を有している。
【０１６３】
（１１）画面デ−タの入力手段１０２、画面デ−タを記憶する記憶手段１０１、画面デ−タを設定表示装置２に伝送する伝送手段１０４を備えた作画ツ−ルであって、画面デ−タと共に更新情報を、記憶手段１０１に記憶し、また設定表示装置２へ伝送可能とし、しかも伝送手段は設定表示装置２に既存するデ−タの更新情報と対比する手段１０４１を有している。
【０１６４】
（１２）画面デ−タの入力手段１０２、画面デ−タを記憶する記憶手段１０１、画面デ−タを設定表示装置２に伝送する伝送手段１０４を備えた作画ツ−ルであって、画面デ−タと共に更新情報を、記憶手段１０１に記憶し、また設定表示装置２へ伝送可能とし、しかも伝送手段は設定表示装置２に既存するデ−タの更新情報と対比する手段１０４１を有しており、更に対比手段１０４１は、設定表示装置２内の画面デ−タの方が新しい場合には、作画ツ−ル１０から設定表示装置２への伝送を行なわない。
【０１６５】
（１３）画面デ−タの入力手段１０２、画面デ−タを記憶する記憶手段１０１、画面デ−タを設定表示装置２に伝送する伝送手段１０４を備えた作画ツ−ルであって、画面デ−タと共に更新情報を、記憶手段１０１に記憶し、また設定表示装置２へ伝送可能とし、しかも伝送手段は設定表示装置２に既存するデ−タの更新情報と対比する手段１０４１を有しており、更に対比手段１０４１は、設定表示装置２への伝送の実行と非実行の選択機能を有している。
【０１６６】
（１４）画面デ−タの入力手段１０２、画面デ−タを記憶する記憶手段１０１、画面デ−タを設定表示装置２に伝送する伝送手段１０４を備えた作画ツ−ルであって、画面デ−タと共に更新情報を、記憶手段１０１に記憶し、また設定表示装置２へ伝送可能とし、更に、設定できる更新情報は、画面デ−タの作成日付時刻情報以外に、変更履歴、バ−ジョン情報などを設定できる。
【０１６７】
（１５）設定表示装置２単体で、設定表示装置２に既存する画面デ−タの更新情報を参照することのできる設定表示装置２の提供し、そのために設定表示装置２へ更新情報を伝送することのできる作画ツ−ル１０を提供する。
【０１６８】
（１６）設定表示装置２に既存する画面デ−タを伝送する際に、作画ツ−ル１０で作成した画面デ−タと設定表示装置２に既存する画面デ−タの更新情報の対比を行い、ユ−ザの意図しない伝送実行を避けることができる設定表示装置２と作画ツ−ルを提供する。
【０１６９】
（１７）設定表示装置２単体で、設定表示装置に既存する画面デ−タの更新情報を参照することができ、設定表示装置２に既存する画面デ−タが更新前か後かを知る手段の利便性が増す。
【０１７０】
（１８）作画ツ−ル１０から設定表示装置２に既存する画面デ−タを伝送する際に、作画ツ−ル１０で作成した画面デ−タと設定表示装置２に既存する画面デ−タの更新情報との対比を行い、ユ−ザの意図しない伝送実行を避けることができる。
【０１７１】
なお、前述のこの発明の実施形態では、画面デ−タ１０１１（図では画面デ−タＡを例示）や作画参照情報１０１２（図では作画参照情報Ａを例示）を、作画端末１側から設定表示装置２側へ送信する場合を例示したが、設定表示装置２側から作画端末１側へアクセスして設定表示装置２側から読み込むようにしても、結果的に画面デ−タ１０１１（図では画面デ−タＡを例示）や作画参照情報１０１２（図では作画参照情報Ａを例示）が作画端末１側から設定表示装置２側へ伝送されたことになり、前述のこの発明の実施形態と同じ機能を奏する。
【０１７２】
【発明の効果】
請求項１の表示画面伝送方式の発明は、前述のように、被設定装置の設定を行う設定表示装置の表示画面を作成する作画端末から前記設定表示装置へ前記設定表示装置の表示画面の画面デ−タを伝送する表示画面伝送方式において、前記作画端末で前記設定表示装置の表示画面を更新した場合に更新情報を前記作画端末の記憶手段に記憶させ、前記作画端末の記憶手段に記憶された更新情報を前記設定表示装置へ伝送して前記設定表示装置で前記更新情報を表示するので、不適切な画面デ−タの更新が不本意に行われるといった設定表示装置の使用上の不都合を予防あるいは防止することができる効果がある。
【０１７３】
また、請求項４の作画端末の発明は、被設定装置の設定を行う設定表示装置の表示画面を作成し作成した表示画面の画面デ−タを前記設定表示装置へ伝送する作画端末において、前記表示画面を更新した場合の更新情報を記憶する記憶手段、及び前記記憶手段に記憶された更新情報を前記設定表示装置へ伝送する伝送手段を備えているので、不適切な画面デ−タの更新が不本意に行われるといった設定表示装置の使用上の不都合を予防あるいは防止する作画端末を提供できる効果がある。
【０１７４】
また、請求項５の設定表示装置の発明は、被設定装置の設定を行う設定表示装置の表示画面を作画端末で作成した表示画面の画面デ−タが前記作画端末から伝送される設定表示装置において、前記表示画面を更新した場合の更新情報を記憶する記憶手段、及び前記記憶手段に記憶された更新情報を表示手段に表示させる制御手段を備えているので、不適切な画面デ−タの更新が不本意に行われるといった設定表示装置の使用上の不都合を予防あるいは防止する設定表示装置を提供できる効果がある。
【図面の簡単な説明】
【図１】この発明の実施の形態１を示す接続図で、表示画面デ−タ伝送方式及び作画端末並びに設定表示装置の具体的な構成の一例を示す図である。
【図２】この発明の実施の形態２を示す図で、図１において示した作画ツ−ルにより画面デ−タの更新情報を設定、入力、記憶する機能、動作を具体的に示すフロ−図である。
【図３】この発明の実施の形態３を示す図で、図１において示した作画ツ−ルの伝送手段の機能、動作を具体的に示すフロ−図である。
【図４】この発明の実施の形態４を示す図で、図１において示した設定表示装置側の記憶手段の機能、動作を具体的に示すフロ−図である。
【図５】この発明の実施の形態５を示す図で、図１において示した設定表示装置における更新情報を表示する機能、動作を具体的に示すフロ−図である。
【図６】この発明の実施の形態５を示す図で、図１において示した設定表示装置側の表示手段への更新情報の表示画面例を示す図である。
【図７】従来の表示画面デ−タ伝送方式及び作画端末並びに設定表示装置の具体的な例を示す接続図である。
【符号の説明】
１  作画端末、
２  設定表示装置、
３  被設定装置、
１０１  作画端末側の記憶手段、
１０４  伝送手段、
２０２  設定表示装置側の記憶手段、
２０３  制御手段、
２０５  前記設定表示装置側の表示手段。
【図１】
2005031864.tif 000003
【図２】
2005031864.tif 000004
【図３】
2005031864.tif 000005
【図４】
2005031864.tif 000006
【図５】
2005031864.tif 000007
【図６】
2005031864.tif 000008
【図７】
2005031864.tif 000009